(57)【要約】【課題】バッテリの小型化に伴う撮像装置への誤挿入防止。【解決手段】扁平な略直方体のバッテリ２において、バッテリ２が挿入される装置（撮像装置１）への挿入面の対面である背面の長手方向の両端に、前記背面に沿うように突起部２６，２７を形成する。突起部２７は、前記装置に具備された係止手段（ロック爪１１５）によって係止される被係止面２７１を有し、この被係止面は前記背面よりも低く設定されている。突起部２７は前記背面に対して鋭角に傾斜した傾斜面２７０を有し、前記装置からのバッテリ２の取り出し時に、傾斜面２７０が前記係止手段の接触圧を受けることにより、バッテリ２の排出が促される。バッテリ２としては主面が略正方形であるものがある。【選択図】  図６
2006185823.tif 000002
【特許請求の範囲】
【請求項１】
扁平な略直方体のバッテリにおいて、
前記バッテリが挿入される装置への挿入面の対面である背面の長手方向の両端に、前記背面に沿うように突起部を形成したことを特徴とするバッテリ。
【請求項２】
前記一方の突起部は、前記バッテリが装着される装置に具備された係止手段によって係止される被係止面を有し、この被係止面は前記背面よりも低く設定されたことを特徴とする請求項１記載のバッテリ。
【請求項３】
前記被係止面は、その摩擦係数が前記背面における前記被係止面以外の部分の摩擦係数よりも小さくなるような表面であることを特徴とする請求項２記載のバッテリ。
【請求項４】
前記被係止面を有する突起部は前記背面に対して鋭角に傾斜した傾斜面を有していること
を特徴とする請求項３記載のバッテリ。
【請求項５】
前記挿入面の両端部に挿入方向に突出する突起部を形成したことを特徴とする請求項１記載のバッテリ。
【請求項６】
前記バッテリは主面が略正方形であることを特徴とする請求項１記載のバッテリ。
【発明の詳細な説明】
【技術分野】
【０００１】
本発明は、バッテリが必要な装置に着脱自在に具備されるバッテリに関する。
【背景技術】
【０００２】
近年、デジタルカメラに代表される撮像装置の小型化、軽量化に伴い、撮像装置に装着されるバッテリは小型化、軽量化に有利な直方体型に形成されている。バッテリを適用する撮像装置では、バッテリの誤挿入や撮像装置の破損を防ぐために曲げモーメントに耐える剛性を有した部材で撮像装置を形成する必要があり、小型化、軽量化の妨げとなっていた。
【０００３】
そこで、特許文献１に示されたバッテリ１４は、図１４に示したように撮像装置への誤挿入を防ぐために挿入方向の辺の長さを幅方向の辺の長さよりも長く設定した直方体状に形成し、その外装部１４０の辺に切欠部１４１を形成させることにより、誤挿入を確実に防止しさらにはこのバッテリ１４が装着される撮像装置等の小型化、軽量化を容易にしている。外装部１４０にはバッテリ１４が装着される撮像装置の端子と電気的に接続する端子１４２が設けられている。切欠部１４１の設置数、設置箇所は、端面１４３が対称中心を有さないように決定される。一方、バッテリ１４を収納する撮像装置内の電池ホルダーは、外装部１４０の外形形状とほぼ同一の内部形状を有すると共に電池ホルダーを収納した際に切欠部１４１，１４１と係合する突部を有する。尚、特許文献１に示されたバッテリと同類のものとしては、特許文献２〜４に示されたバッテリがある。
【特許文献１】特開２００３−３１７６８９
【特許文献２】特開平１１−３０７０７２号公報
【特許文献３】特開２００１−７６７００
【特許文献４】特開平１１−３６９２号公報
【発明の開示】
【発明が解決しようとする課題】
【０００４】
そして、昨今、前記撮像装置等のバッテリが着脱自在に具備される装置のさらなる小型化及び軽量化の要請により、バッテリのさらなる小型化が必要とされている。そこで、前記直方体型のバッテリをさらに小型化するために、対向する略正方形の面を有する形状に形成すればよいが、これまでのバッテリは側面に突起部が無く、また、前記装置側においては受け入れたバッテリを係止する係止箇所が明確ではなかった。そのため、ユーザーはバッテリとその係止箇所の位置関係に迷い前記装置に対してバッテリを誤挿入させてしまう確率が高かった。
【０００５】
また、仮に、略正方形状の面を有するバッテリを形成すると、バッテリと撮像装置の端子接点がオフセンターである場合、バッテリを裏表逆挿入した状態または横誤挿入した状態では、バッテリの端子と前記装置の端子は接触しないので両者が電気的に接続されないが、バッテリ筐体が前記装置の端子に接触し、前記装置の端子を破損させる恐れがある。
【０００６】
本発明は、かかる事情に鑑みなされたもので、その目的は、バッテリが着脱自在に具備される装置のバッテリの小型化に伴う前記装置への誤挿入を防止できるバッテリの提供にある。
【課題を解決するための手段】
【０００７】
そこで、本発明のバッテリは、扁平な略直方体のバッテリにおいて、前記バッテリが挿入される装置への挿入面の対面である背面の長手方向の両端に、前記背面に沿うように突起部を形成したことを特徴とする。
【０００８】
また、前記一方の突起部は、前記バッテリが装着される装置に具備された係止手段によって係止される被係止面を有し、この被係止面は前記背面よりも低く設定されたことを特徴とする。
【０００９】
さらに、前記被係止面は、その摩擦係数が前記背面における前記被係止面以外の部分の摩擦係数よりも小さくなるような表面であることを特徴とする。
【００１０】
また、前記被係止面を有する突起部は前記背面に対して鋭角に傾斜した傾斜面を有していることを特徴とする。
【００１１】
さらに、前記挿入面の両端部に挿入方向に突出する突起部を形成したことを特徴とする。
【００１２】
また、前記バッテリとしては主面が略正方形であるものがある。
【発明の効果】
【００１３】
したがって、本発明に係るバッテリによれば、バッテリが着脱自在に具備される装置へのバッテリの装着方法が明確となり、前記装置へのバッテリの誤挿入を防止できる。
【発明を実施するための最良の形態】
【００１４】
以下、図面を参照しながら本発明の実施形態例について説明する。
【００１５】
図１は本発明のバッテリが装着される撮像装置の実施形態例を示した概観図であり、特に（ａ）は撮像装置の正面を示した概観図、（ｂ）は撮像装置の裏面を示した概観図である。図２は前記撮像装置に装着されるバッテリの実施形態例を概観図であり、特に（ａ）〜（ｄ）は前記実施形態例に係るバッテリの側面を示した概観図である。図３はバッテリの分解斜視図である。図４はバッテリが格納される撮像装置の内部を示した概略図である。図５はバッテリが撮像装置に装着された状態を示した概略図である。図６は撮像装置へのバッテリの挿入要領を示した説明図である。
【００１６】
撮像装置１は、図１（ａ）に示されたように、本体１０上面部にズームレバー１０１とシャッターボタン１０２とマイク１０３を備えている。正面部には、図４に示されたように撮像レンズ１０４とフラッシュ１０４ａとＡＦイルミネータ１０４ｂとレンズカバー１０５とを備えている。レンズカバー１０５はスライド方式に撮像レンズ１０４とフラッシュ１０４ａとＡＦイルミネータ１０４ｂとをカバーする。ＡＦイルミネータ１０４ｂは暗い場所でフォーカスを合わすための補助光を発するものである。
【００１７】
また、図１（ｂ）に示されたように、本体１０の裏面部には、モード切り換えスイッチ１０６と、モニタ１０７と、メニューボタン１０８と、コントロールボタン１０９と、画面表示ボタン１１０と、画面サイズ選択／画面削除ボタン１１１と、スピーカー１１２と、リセットボタン１１３とを備えている。操作ボタン１０９はフラッシュモードボタン１０９ａとレビューボタン１０９ｂとセルフタイマーボタン１０９ｃとマクロボタン１０９ｄと決定ボタン１０９ｅとからなる。これらの構成要素は既知のデジタルカメラ装置（例えばソニー製デジタルカメラＤＳＣ−Ｔ３）に具備されているものを採用すればよい。
【００１８】
さらに、撮像装置１は、図４に示したように、バッテリ２を格納する格納部１０ａを有すると共に、バッテリ挿入側側面部には、図５に示したように、電源ボタン１００と、マルチ端子１１４と、バッテリ２が撮像装置１内に挿入そして装着されたときバッテリ２を係止する手段としてのロック爪１１５と、装着したバッテリ２を密閉する手段としての蓋１１６と、撮像装置１を保持するためのストラップ金具１１７と、バッテリ２を受け入れる開口部１１８（図６）とを備える。尚、ストラップ金具１１７は撮影時に親指を当てることにより保持しやすくする働きもする。
【００１９】
格納部１０ａには、リブ１１９と端子板１２０が具備されている。端子板１２０はバネ弾性を有する端子１２１を備えている。リブ１１９はバッテリ２が格納部１０ａに格納された状態のときバッテリ２に形成された凹部２３０（図２）と当接する。端子１２１はバッテリ２が格納部１０ａに格納された状態のときバッテリ２の端子接触部２２２（図２）と電気的に接続する。
【００２０】
ロック爪１１５は図６の矢印方向に移動可能に設けられ、図７に示されたバネ１１５ｂによって開口部１１８方向に付勢されている。ロック爪１１５は傾斜面１１５ａを形成している。傾斜面１１５ａはバッテリ２の排出量を補うためのものである。すなわち、バッテリ２が撮像装置１から排出される際にバネ１１５ｂの接触圧により押されたロック爪１１５が傾斜面１１５ａによってバッテリ２のフレーム部２１に形成された突起部２７の下に潜り込ませてバッテリ２の排出を促進させている。尚、ロック爪１１５は撮像装置１に装着されたバッテリ２を係止できればよいので、必ずしも傾斜面１１５ａを形成させる必要はない。すなわち、図１３に示したような形態に構成してもよい。ロック爪１３はバネ１１５ｂと同様に構成されたバネの弾性変形により往復動可能な係止部１３ａを備える。係止部１３ａはさらに補助係止部１３ｂを備えている。
【００２１】
バッテリ２は、図３に示したように略正方形の主面を有する電池セル２０と、この電池セル２０を収納した角型のフレーム部２１と、このフレーム部２１の外側面に配置された回路基板部２２と、この回路基板部２２をフレーム部２１の外側面との間で挟むようにして前記フレーム部２１及び電池セル２０の一端側に取付けられたキャップ部２３と、電池セル２０及びフレーム部２１を一体的に被覆した外装フィルム２４と、を備えている。
【００２２】
電池セル２０は、例えば正極、セパレータ、負極等を順に積層した積層体（電池素子）をフィルム状の外装部材により被覆することにより形成されている。図２に示すように、電池セル２０は、第１〜第４の側面２０ａ〜２０ｄと表，裏面２０ｅ，２０ｆにより偏平な略直方体形状に形成されていて、第１の側面２０ａの略中央部にはセル正極部２１が突出形成され、該第１の側面２０ａの反対側の第２の側面２０ｂの中央部にはセル負極部（図示省略）が形成されている。セル負極部には高温時に非導通とするための安全部品としての正特性サーミスタ（Ｐｏｓｉｔｉｖｅ Ｔｅｍｐｅｒａｔｕｒｅ Ｃｏｅｆｆｉｃｉｅｎｔ(以下、ＰＴＣタブと称する)）２０２の一端部が接続されていて、ＰＴＣタブ２０２の他端部は、電池セル２０の第３の側面２０ｃまで伸びている。電池セル２０の第３の側面２０ｃとＰＴＣタブ２０２の間には絶縁紙２０３が介在されている。
【００２３】
フレーム部２１は、電気絶縁性を有する合成樹脂によって四辺形の枠状に形成されていて、第１〜第４の辺２１ａ〜２１ｄが電池セル２０の第１〜第４の側面２０〜２０ｄの外面にそれぞれ重なり合うようになっている。
【００２４】
電池セル２０の第１の側面２０ａに重なるフレーム部２１の第１の辺２１ａには、セル正極部２０１を嵌合するセル正極部嵌合窓２１１が設けられている。電池セル２０の第３の側面２０ｃに重なる第３の辺２１ｃには、ＰＴＣタブ２０２の端部が臨む切欠部２１２が設けられていると共に、第１の辺２１ａ側の端部には負極タブ２１３を第３の辺２１ｃの内側に導入するためのスリット２１４が設けられている。切欠部２１２にはスペーサー２１２ａが取り付けられる。
【００２５】
フレーム部２１の底部には電池セル２０の底部を支持するフランジ状の突部２１５が設けられている。また、フレーム部２１の上部には、第２の辺２１ｂの上縁に沿って前記フランジ状の突部２１５に対向するフランジ状の突部２１６が形成されていて、これらフランジ状の突部２１５，２１６間に電池セル２０の第２の側面２０ｂ側の端部が挟着される。
【００２６】
フレーム部２１の第２の辺２１ｂの高さは、収納した電池セル２０が充電時や高温時において最も膨張した時の高さ（肉厚）と略等しくなる高さに形成されている。
【００２７】
フレーム部２１の第１の辺２１ａの外面には回路基板取付部２１７が設けられている。回路基板取付部２１７は、フレーム部２１の第１の辺２１ａの外面の上下端に突出形成された上下の一対のキャップ支持部２１８間に形成されている。キャップ支持部２１８には、複数のキャップ部係止爪２１９が設けられている。
【００２８】
回路基板部２２は、ガラスエポキシフェノール等の絶縁性合成樹脂で形成されたベースプレート２２１の外面側に複数の端子接触部２２２を備え、ベースプレート２２１の内面側に電子部品及び該電子部品をモールドしたトランスファーモールド２２３を備えていて、該トランスファーモールド２２３の先端とフレーム部２１の間に所定の（僅かな）隙間をもたせた状態でフレーム部２１とキャップ部２２に挟まれた状態で組付け固定されている。
【００２９】
回路基板部２２の一端の端子部２２４には正極タブ２２５の一端部２２５ａが溶接により接続されている。正極タブ２２５の他端側は、電池セル２０のセル正極部２０１に溶接により接続されている。回路基板部２２と正極タブ２２５の間には絶縁紙２２６が介在されている。また、回路基板部２２の他端の端子部２２７には負極タブ２１３の一端２１３ａが溶接により接続される。
【００３０】
正極タブ２２５は、ニッケル板等の金属板で略Ｌ字状に形成されている。前記金属板には所謂焼き鈍し加工が施されて曲げ加工が容易になっている。前記略Ｌ字状の正極タブ２２５は、長辺側が正極タブ２２５に接続され、短辺側が前記回路基板部２２の一端の端子部２２７に接続されている。
【００３１】
前記負極タブ２１３も前記正極タブ２２５と同様にニッケル板等の金属板で略Ｌ字状に形成されている。前記略Ｌ字状の負極タブ２１３は、短辺側の一端２１３ａが回路基板部２２の他端の端子部２２７に接続されている。前記負極タブ２１３の長辺側の他端２１３ｂは、フレーム部２１の第３の辺２１ｃに設けたスリット２１４を介してフレーム部２１の内面側に導入されてＰＴＣタブ２０２に接続される。
【００３２】
キャップ部２３は、回路基板部取付部２１７に取付けた回路基板部２２を介して（回路基板部２２を挟んで）フレーム部２１の第１の辺２１ａの外面に重なる矩形状の端面部２３１と、該矩形状の端面部２３１に連設されていてフレーム部２１及び電池セル２０の一端側に嵌着される筒状部２３１と、を備えている。
【００３３】
キャップ部２３の端面部２３１には、回路基板部２２の端子接触部２２２が臨む複数の端子窓２３３が設けられている。また、筒状部２３２の上下面には、フレーム部２１の上下一対のキャップ部支持部２１８設けた複数のキャップ部係止爪２１９が係合する複数の爪係合孔２３４が設けられている。
【００３４】
また、図３に示すように、フレーム部２１は、回路基板部２２側に突出する複数の突起２１８ａを上下一対のキャップ支持部２１８に備えている。突起２１８ａは、回路基板部２２の端子接触部２２２が相手側端子により加圧されたときなどに、トランスファーモールド２２３を挟む位置で、かつ回路基板部２２の電子部品等がマウントされていない部分に当接するようになっている。
【００３５】
外装フィルム２４は、ポリエチレン（ＰＥ）、ポリエチレンテレフタレート（ＰＥＴ）、ポリカーボネート（ＰＣ）等の合成樹脂により０．０５〜０．１ｍｍ程度の厚さのシート状に作られている。そして、電池セル２０をフレーム部２１内に収納し、フレーム部２１に回路基板部２２等を取付け、キャップ部２３を被せた後に、フレーム部２１に巻き付けられて、電池セル２０の表裏面を覆うと共に、電池セル２０、フレーム部２１、キャップ部２３を一体的に結合するようになっている。尚、外装フィルム２４には機銘板フィルム２５が貼り付けられる。
【００３６】
また、フレーム部２１は、辺２１ｂの縁端部に辺の長さ方向に突出する突起部２６，２７を形成させたことで撮像装置１へのバッテリ２の誤挿入を防止することを可能としている。
【００３７】
突起部２６は、図２に示されたように、略直方体状に形成されている。このとき、撮像装置１の側面においてはバッテリ２が撮像装置１に装着されたとき突起部２６を露出させた状態で収容する切り欠き部１２２が形成されている。切欠き部１２２の切り欠き面積はバッテリ２のフレーム部２１に対する突起部２６の設置面積以上に設定される。
【００３８】
突起部２７は、図２に示されたように、断面が略台形状となるよう形成されたことにより傾斜面２７０を有している。さらに、突起部２７にはバッテリ２が撮像装置１内に装着されてロック爪１１５がバッテリ２を係止する際にロック爪１１５によって係止される被係止面２７１が形成されている。
【００３９】
被係止面２７１は、その高さがフレーム部２１の面よりも低く設定されることで、ロック爪１１５によって係止される箇所を明確化させている。また、これと同時に、バネの接触圧を受けているロック爪１１５を抑止できるようになっている。また、被係止面２７１は、その面の摩擦係数が周辺部の摩擦係数に比べて小さくなっている。これにより、係止される箇所がより明確化させている。さらに、ロック爪１１５が滑り易くなるので、迅速に係止されるようになっている。
【００４０】
図６〜図９を参照しながらバッテリ２の挿入動作について説明する。
【００４１】
図６に示したようにバッテリ２の端子接触部２２２を有する面を撮像装置１の開口部１１８に向けてバッテリ２を撮像装置１内に挿入させる。このとき、図７（ａ）に示したように、ロック爪１１５を指によって引いた状態で、バッテリ２を撮像装置１内に挿入させる。そして、図７（ｂ）で示したように、バッテリ２の凹部２３０の底部が撮像装置１内のリブ１１９に接触して、バッテリ２が撮像装置１内に収まった時点で、指を放してロック爪１１５を開放させると、ロック爪１１５がバネ１１５ｂの接触圧により被係止面２７１をバッテリ２方向に滑走しそして被係止面２７１を係止することにより、バッテリ２が係止される。その後、図７（ｃ）に示されたように、蓋１１６が閉じられることで、バッテリ２が撮像装置１において密閉される。このとき、撮像装置１の端子板１２０設けられている端子１２１は、弾性変形により収縮された状態で、バッテリ２の端子接触部２２２と電気的に接続された状態となる。
【００４２】
次いで、バッテリ２を取り外す場合、図８（ａ）に示されたようにロック爪１１５を指（図示省略）で横矢印方向に引き寄せると、バッテリ２は図８（ｂ）に示されたように端子板１２０上の端子１２１の接触圧を受けて矢印方向に突出する。ここで、指をロック爪１１５から開放させると、ロック爪１１５は、ロック爪１１５を開口部１１（図６）方向に付勢しているバネ１１５ｂにより付勢されて、図８（ｃ）に示したように横矢印方向に移動する。このとき、バッテリ２の突起部２６は撮像装置１の外側に露出しているので、突起部２６，２７に指を掛けることでバッテリ２を容易に取り出せる。尚、ロック爪１１５に傾斜面１１５ａが形成されている場合、ロック爪１１５は傾斜面１１５ａを突起部２７の傾斜面２７０に当接させながら突起部２７の下に潜り込むので、バッテリ２の排出量が補われ、バッテリ２はさらに突出する。これにより、バッテリ２をより一層容易に取り出すことができる。
【００４３】
一方、図９（ａ）及び図９（ｂ）に示したように撮像装置１に対してバッテリ２を横誤挿入した場合、バッテリ２の突出部２６がリブ１１９に当たると共にキャップ部２３の側面がリブ１１９に当たる。このときバッテリ２の一部が撮像装置１本体からはみ出しているので、爪ロック１１５はバッテリ２を係止することができないと共に、扉１１６は開口部１１８を閉じることができない。
【００４４】
また、図９（ｃ）に示したように撮像装置１に対してバッテリ２を裏表逆挿入した場合、バッテリ２のキャップ部２３の端部がリブ１１９に当たる。このときも、バッテリ２の一部が撮像装置１本体からはみ出しているので、爪ロック１１５はバッテリ２を係止することができないと共に、扉１１６は開口部１１８を閉じることができない。
【００４５】
さらに、図９（ｄ）に示したように撮像装置１に対してバッテリ２を前後逆挿入した場合、バッテリ２の突起部２６，２７が撮像装置１の開口部１１８の縁部に当たり、バッテリ２は撮像装置１内に挿入されないので、爪ロック１１５はバッテリ２を係止することができないと共に、扉１１６は開口部１１８を閉じることができない。
【００４６】
以上のようにバッテリ２によれば、撮像装置１への誤挿入が防止され、バッテリ２の誤挿入による撮像装置１の端子１２１の破損を回避できる。
【００４７】
また、バッテリ２のキャップ部２３の両端部には、図１０に示した実施形態例のバッテリ２Ａように、挿入方向に突出する形状の異なる突起部２８，２９を形成させて撮像装置１へのバッテリ２Ａの誤挿入を防止させてもよい。突起部２８は断面が略台形状となるよう形成されている。突起部２９は略直方体状に形成されている。
【００４８】
このバッテリ２Ａの挿入動作について図１１及び図１２を参照しながら説明する。
【００４９】
図１１に示したようにロック爪１１５を指によって矢印方向に引き寄せた状態でバッテリ２Ａの端子窓２３３を有する面を撮像装置１の開口部１１８に向けてバッテリ２Ａを撮像装置１内に挿入させる。そして、図１２（ａ）で示したように、バッテリ２Ａの凹部２３０の底部が撮像装置１内のリブ１１９に接触して、バッテリ２Ａが撮像装置１内に収まった時点で、指を放してロック爪１１５を開放させると、ロック爪１１５がバネ１１５ｂの接触圧により被係止面２７１をバッテリ２方向に滑走しそして被係止面２７１を係止することにより、バッテリ２Ａが係止される。その後、蓋１１６が閉じられることで、バッテリ２Ａが撮像装置１において密閉される。このとき、撮像装置１の端子板１２０に設けられている端子１２１は弾性変形により収縮された状態でバッテリ２Ａの端子２２２と電気的に接続された状態となる。
【００５０】
一方、図１２（ｂ）に示したように撮像装置１に対してバッテリ２Ａを裏表逆挿入した場合、バッテリ２Ａの突起部２８，２９がそれぞれリブ１１９に当たる。このとき、バッテリ２Ａの一部が撮像装置１本体からはみ出しているので、爪ロック１１５はバッテリ２Ａを係止することができないと共に、扉１１６は開口部１１８を閉じることができない。さらに、バッテリ２Ａのキャップ部２３と撮像装置１側の端子１１９との間の距離は両者が接触しない程の距離が保たれている。
【００５１】
また、図１２（ｃ）に示したように撮像装置１に対してバッテリ２Ａを横誤挿入した場合、バッテリ２Ａの突出部２８が撮像装置１の開口部１１８の縁部に当たり、バッテリ２Ａは撮像装置１内に挿入されないので、爪ロック１１５はバッテリ２を係止することができないと共に、扉１１６は開口部１１８を閉じることができない。
【００５２】
したがって、バッテリ２Ａによれば、撮像装置１への誤挿入が防止され、バッテリ２Ａの誤挿入による撮像装置１の端子１２１の破損を回避できる。
【００５３】
尚、以上の実施形態例で述べたバッテリ２,２Ａは撮像装置１について適用されたものであるが、本発明に係るバッテリは、撮像装置に限定されず、この撮像装置以外のバッテリを必要とする装置にも適用できる。
【図面の簡単な説明】
【００５４】
【図１】本発明のバッテリが装着される撮像装置の実施形態例を示した概観図であり、特に（ａ）は撮像装置の正面を示した概観図、（ｂ）は撮像装置の裏面を示した概観図。
【図２】撮像装置に装着されるバッテリの実施形態例を概観図であり、特に（ａ）〜（ｆ）はこの実施形態例に係るバッテリの側面を示した概観図。
【図３】バッテリの分解斜視図。
【図４】バッテリが格納される撮像装置の内部を示した概略図。
【図５】バッテリが撮像装置に装着された状態を示した概略図。
【図６】撮像装置へのバッテリの挿入要領を示した説明図。
【図７】バッテリの挿入動作の説明図。
【図８】バッテリの排出動作の説明図。
【図９】バッテリの誤挿入防止動作の説明図。
【図１０】撮像装置に装着されるバッテリの実施形態例を概観図であり、特に（ａ）〜（ｆ）はこの実施形態例に係るバッテリの側面を示した概観図。
【図１１】撮像装置へのバッテリの挿入要領を示した説明図。
【図１２】（ａ）はバッテリの挿入動作の説明図、（ｂ）及び（ｃ）はバッテリの誤挿入防止動作の説明図。
【図１３】ロック爪の実施形態例を示した概略図。
【図１４】従来のバッテリを示した概略図。
【符号の説明】
【００５５】
１…撮像装置
２,２Ａ…バッテリ
１０…装置本体、１０ａ…格納部
２０…電池セル、２１…フレーム部、２１ｂ…辺、２３…キャップ部
２６，２７，２８，２９…突起部
１００…電源ボタン、１１５…ロック爪、１１５ａ…傾斜面、１１５ｂ…バネ、１１６…蓋、１１７…ストラップ金具、１１８…開口部
２３０…凹部、２２２…端子接触部
２７０…傾斜面、２７１…被係止面
【図１】
2006185823.tif 000003
【図２】
2006185823.tif 000004
【図３】
2006185823.tif 000005
【図４】
2006185823.tif 000006
【図５】
2006185823.tif 000007
【図６】
2006185823.tif 000008
【図７】
2006185823.tif 000009
【図８】
2006185823.tif 000010
【図９】
2006185823.tif 000011
【図１０】
2006185823.tif 000012
【図１１】
2006185823.tif 000013
【図１２】
2006185823.tif 000014
【図１３】
2006185823.tif 000015
【図１４】
2006185823.tif 000016